(57)【要約】【課題】組付け誤差を抑えることができ、また軟質の樹脂部材が樹脂ハウジングと基板とで押し潰されることを防止できる位置決め構造を提供する。【解決手段】位置決め構造１０は、メイン部材１１に立設された一対のボス１２を、板状に形成された複数（一例として３枚）の被挿通部材１３〜１５の挿通孔１６〜１８に挿通されることにより、各被挿通部材１３〜１５を積層固定するとともにメイン部材１１と各被挿通部材１３〜１５とを相対位置決めするものである。この位置決め構造１０は、ボス１２の形状を立設方向から見て略十字状とし、ボス１２における挿通方向に沿った複数の所定位置にそれぞれ各被挿通部材１３〜１５を位置決めする位置決め手段２０が備えられている。【選択図】　図４
2004087569.tif 000002
【特許請求の範囲】
【請求項１】
メイン部材に立設されたボスが複数の被挿通部材の挿通孔に挿通されることにより、前記各被挿通部材を積層固定するとともに前記メイン部材と前記各被挿通部材とを相対位置決めするための位置決め構造であって、
前記ボスにおける挿通方向に沿った所定位置にそれぞれ前記各被挿通部材を位置決めする位置決め手段を備えていることを特徴とする位置決め構造。
【請求項２】
前記位置決め手段が、前記ボスを先端に向かって段階的に先細りとなるように形成することにより設けられた複数の段差であることを特徴とする請求項１に記載した位置決め構造。
【請求項３】
前記ボスの各段差における前記挿通方向に対して直交する幅寸法に対して、前記各被挿通部材における前記各挿通孔の最小内寸法がそれぞれ前記各被挿通部材の配置個所に対応していることを特徴とする請求項２に記載した位置決め構造。
【請求項４】
前記挿通方向に沿った前記各段差間の隙間寸法が前記被挿通部材の厚み寸法に対応していることを特徴とする請求項２に記載した位置決め構造。
【請求項５】
前記ボスが先端に向かって連続的に先細りとなるように形成されているとともに、前記ボスにおける挿通方向に対して直交する幅寸法に対して、前記各被挿通部材における前記各挿通孔の最小内寸法がそれぞれ前記各被挿通部材の配置個所に対応していることを特徴とする請求項１に記載した位置決め構造。
【発明の詳細な説明】
【０００１】
【発明の属する技術分野】
本発明は位置決め構造に係り、例えばカーステレオの操作パネル等に設けられたボスに対して複数の被挿通部材を積層固定するための位置決め構造に関する。
【０００２】
【従来の技術】
図１は、メイン部材に立設されたボスに対して複数の被挿通部材を積層固定するための従来の位置決め構造を示す断面図である。これは、例えばカーステレオの操作パネル等に回路基板等を固定する場合等に適用できる。
図１に示すように、例えばカーステレオの操作パネル（メイン部材）２００の裏面に一対の台座２０１（一方のみ図示）が設けられ、これらの台座２０１にそれぞれボス２０２が立設されている。これらのボス２０２は、立設方向から見た形状が略十字状に形成されている。
なお、ボス２０２は、操作パネル２００と一体に射出成形する際に、抜き勾配が必要になり、先端に向かって連続的に先細り状に形成されている。
【０００３】
このボス２０２には、樹脂ハウジング（第１被挿通部材）２０３の挿通孔２０４、樹脂部材（第２被挿通部材）２０５の挿通孔２０６、基板（第３被挿通部材）２０７の挿通孔２０８が嵌め込まれ、これにより操作パネル（メイン部材）２００の裏面２００Ａ側に樹脂ハウジング２０３、樹脂部材２０５、基板２０７が積層固定される。
【０００４】
前述したように、樹脂ハウジング２０３、樹脂部材２０５および基板２０７には、一対のボス２０２に挿通される一対の挿通孔２０４，２０６，２０８がそれぞれ備えられている。一対の挿通孔２０４，２０４，２０６，２０６，２０８，２０８のうちの一方の挿通孔２０４，２０６，２０８は各々の大きさが同一の円形状に形成され、他方の挿通孔２０４，２０６，２０８は各々の大きさが同一の長円状に形成されている。他方の挿通孔２０４，２０６，２０８を長円状に形成することで、製造誤差を吸収できる。
【０００５】
【発明が解決しようとする課題】
ところで、一対のボス２０２が抜き勾配を確保するために先細りに成形され、挿通孔２０４，２０６，２０８の大きさおよび形状が同一に形成されているので、樹脂ハウジング２０３の挿通孔２０４、樹脂部材２０５の挿通孔２０６、基板２０７の挿通孔２０８が嵌め込また際に、各挿通孔２０４，２０６，２０８は上方のものほどボス２０２に対する隙間が大きくなる。
具体的には、樹脂ハウジング２０３の挿通孔２０４より樹脂部材２０５の挿通孔２０６のほうがボス２０２に対して嵌め込みが甘くなり、樹脂部材２０５の挿通孔２０６より基板２０７の挿通孔２０８ほうがボス２０２に対して嵌め込みが甘くなる。
【０００６】
このため、操作パネル（メイン部材）２００や樹脂ハウジング２０３に対して樹脂部材２０５や基板２０７が面方向に沿って矢印方向に移動してしまい、組み付けた際に誤差が生じ、例えばスイッチ不良となる可能性がある。
また、樹脂ハウジング２０３、樹脂部材２０５、基板２０７が単に積層されているだけなので、軟質の樹脂部材２０５が樹脂ハウジング２０３と基板２０７とで厚み方向に潰されて機能が損なわれる可能性もある。
【０００７】
本発明は、前述した問題点に鑑み、少なくとも組み付け誤差を抑えることができる位置決め構造、または軟質の樹脂部材が樹脂ハウジングと基板とで押し潰されることを防止できる位置決め構造を提供することにある。
【０００８】
【課題を解決するための手段】
本発明は、請求項１に記載したように、メイン部材に立設されたボスが複数の被挿通部材の挿通孔に挿通されることにより、前記各被挿通部材を積層固定するとともに前記メイン部材と前記各被挿通部材とを相対位置決めするための位置決め構造であって、前記ボスにおける挿通方向に沿った所定位置にそれぞれ前記各被挿通部材を位置決めする位置決め手段を備えていることを特徴とする。
【０００９】
【発明の実施の形態】
以下、本発明に係わる位置決め構造の実施の形態について説明する。本発明における位置決め構造は、メイン部材に立設されたボスに嵌め込まれる複数の被挿通部材の各々に形成された挿通孔の形状と、それらのボスの挿通方向に沿った形状により相対位置決めする構造とする。
メイン部材から立設されたボスは、操作パネルと一体に射出成型する際に金型からの抜き取り易さを考慮した抜き勾配を必要とする。そのため、各ボスは、その先端に向かって段階的、または連続的に先細り状に形成される。それらのボスの形状に対して、挿通される各被挿通部材の挿通孔の形状が設定され、各挿通孔の大きさ・形状は、それぞれ各ボスに嵌め込まれる位置に応じたものとする。すなわち、メイン部材に対して取り付けられる被挿通部材の取り付け順を考慮し、その順番に応じた挿通孔の最小内寸法が各ボスの挿通方向と直交する幅寸法に応じたように形成する。
【００１０】
このようなボスは、側面形状が挿通方向に沿った線を中心とする線対称形状であればよいが、各被挿通部材における挿通孔の最小内寸法に対応していれば、側面形状が挿通方向に沿った線を中心とする非対称形状であってもよい。
以下、本発明に係わる実施の形態の更なる具体例を第１実施例〜第９実施例として示す。
【００１１】
（第１実施例）
図２、図３に示すように、第１実施例の位置決め構造１０は、例えばカーステレオの操作パネル等のメイン部材１１の裏面１１ａに台座を介して一対のボス１２が立設されている。これらのボス１２は、立設方向から見た形状が略十字状に形成されている。
なお、ボス１２は、メイン部材１１と一体に射出成形する際に、抜き勾配が必要になり、先端に向かって段階的に先細り状に形成されている。
【００１２】
そして、これらのボス１２には、樹脂ハウジング等の第１被挿通部材１３の挿通孔１６，１６、樹脂部材等の第２被挿通部材１４の挿通孔１７，１７、基板等の第３被挿通部材１５の挿通孔１８，１８が嵌め込まれ、これによりメイン部材１１の裏面１１ａ側に第１〜第３被挿通部材１３〜１５が積層固定されるとともにメイン部材１１と第１〜第３被挿通部材１３〜１５とを相対位置決めするものである。
【００１３】
挿通孔１６，１６，１７，１７，１８，１８のうち、図２中左側の挿通孔１６，１７，１８は形状が同一の円形状に形成され、右側の挿通孔１６，１７，１８は形状が同一の長円状に形成されている。
図２中右側の挿通孔１６，１７，１８を長円状に形成することで、メイン部材１１の製造誤差に伴う第１〜第３被挿通部材１３〜１５の取付誤差を吸収できる。
【００１４】
これらの挿通孔１６，１６，１７，１７，１８，１８は、それぞれ第１被挿通部材１３、第２被挿通部材１４、第３被挿通部材１５の厚み方向に沿って形状および内寸法が連続するとともに、挿通孔１７，１７が挿通孔１８，１８よりも小さく、かつ、挿通孔１６，１６が挿通孔１７，１７よりも小さく形成されている。そして、これらの挿通孔１６，１６，１７，１７，１８，１８は、第１被挿通部材１３、第２被挿通部材１４、第３被挿通部材１５を積層させたときに同軸配置されるようになっている。
【００１５】
図４に示すように、第１実施例の位置決め構造１０は、ボス１２の形状を立設方向から見て略十字状とし、ボス１２における挿通方向（図４中、上下方向）に沿った複数の所定位置にそれぞれ第１〜第３被挿通部材１３〜１５（図２参照）を位置決めする位置決め手段２０が備えられている。
位置決め手段２０は、ボス１２が先端に向かって段階的に先細りとなるように形成され、挿通方向に沿った複数の第１〜第３段差（段差）２１〜２３を備える。
【００１６】
図５に示すように、第１段差２１と第２段差２２との間の隙間寸法Ｓ１は、第１被挿通部材１３の厚み寸法Ｔ１に対応している。具体的には、Ｓ１≧Ｔ１の関係が成立する。また、第２段差２２と第３段差２３との間の隙間寸法Ｓ２は、第２被挿通部材１４の厚み寸法Ｔ２に対応している。具体的には、Ｓ２≧Ｔ２の関係が成立する。
【００１７】
第１段差２１と第２段差２２との間の第１挿通壁２５はボス１２の先端に向けて先細りとなるようにテーパ状に形成され、第２段差２２と第３段差２３との間の第２挿通壁２６はボス１２の先端に向けて先細りとなるようにテーパ状に形成されている。
加えて、第３段差２３からボス１２の先端に向けて延びる第３挿通壁２７もボス１２の先端に向けて先細りとなるようにテーパ状に形成されている。
【００１８】
さらに、ボス１２における挿通方向に対して直交する第１段差２１の最大幅寸法Ｗ１に対して、第１被挿通部材１３における挿通孔１６の最小内寸法Ｄ１が第１被挿通部材１３の配置個所に対応している。具体的には、Ｗ１＝Ｄ１の関係が成立することが好ましい。
【００１９】
また、ボス１２における挿通方向に対して直交する第２段差２２の最大幅寸法Ｗ２に対して、第２被挿通部材１４における挿通孔１７の最小内寸法Ｄ２が第２被挿通部材１４の配置個所に対応している。具体的には、Ｗ２＝Ｄ２の関係が成立することが好ましい。
【００２０】
さらに、ボス１２における挿通方向に対して直交する第３段差２３の最大幅寸法Ｗ３に対して、第３被挿通部材１５における挿通孔１８の最小内寸法Ｄ３が第３被挿通部材１５の配置個所に対応している。具体的には、Ｗ３＝Ｄ３の関係が成立することが好ましい。
【００２１】
次に、位置決め構造１０の作用を図６に基づいて説明する。
先ず、ボス１２の第１挿通壁２５に第１被挿通部材１３の挿通孔１６を嵌め込んで、第１被挿通部材１３を第１段差２１に当接させる。第１挿通壁２５を先細状のテーパ壁とすることで、第１挿通壁２５に挿通孔１６を容易に嵌め込むことができる。
【００２２】
次に、ボス１２の第２挿通壁２６に第２被挿通部材１４の挿通孔１７を嵌め込んで、第２被挿通部材１４を第２段差２２に当接させる。第２挿通壁２６を先細状のテーパ壁とすることで、第２挿通壁２６に挿通孔１７を容易に嵌め込むことができる。
次いで、ボス１２の第３挿通壁２７に第３被挿通部材１５の挿通孔１８を嵌め込んで、第３被挿通部材１５を第３段差２３に当接させる。第３挿通壁２７を先細状のテーパ壁とすることで、第３挿通壁２７に挿通孔１８を容易に嵌め込むことができる。
【００２３】
なお、第１実施例では、第１〜第３挿通壁２５〜２７をボス１２の挿通方向に対して所定の角度で傾斜する先細状のテーパ壁とした例に付いて説明したが、第１〜第３挿通壁２５〜２７を先細状のテーパ壁にしなくて、ボス１２の挿通方向に対して平行な壁でもよい。
【００２４】
また、図５に示すように第１段差２１の最大幅寸法Ｗ１に対して、第１被挿通部材１３における挿通孔１６の最小内寸法Ｄ１を対応させているので、ボス１２に対して第１被挿通部材１３を精度良く位置決めできる。
さらに、第２段差２２の最大幅寸法Ｗ２に対して、第２被挿通部材１４における挿通孔１７の最小内寸法Ｄ２を対応させているので、ボス１２に対して第２被挿通部材１４を精度良く位置決めできる。
【００２５】
加えて、第３段差２３の最大幅寸法Ｗ３に対して、第３被挿通部材１５における挿通孔１８の最小内寸法Ｄ３を対応させているので、ボス１２に対して第３被挿通部材１５を精度良く位置決めできる。
これにより、組付誤差を許容範囲内に収めることができ、例えばスイッチ不良等の発生を抑えることができる。
【００２６】
また、第１段差２１と第２段差２２との間の隙間寸法Ｓ１を、第１被挿通部材１３の厚み寸法Ｔ１に対応させることで、第１被挿通部材１３を第２段差２２と面一または第２段差２２より僅かに下方に配置できる。
加えて、第２段差２２と第３段差２３との間の隙間寸法Ｓ２を、第２被挿通部材１４の厚み寸法Ｔ２に対応させることで、第２被挿通部材１４を第３段差２３と面一または第３段差２３より僅かに下方に配置できる。
【００２７】
これにより、第１〜３被挿通部材１３〜１５を積層固定した際に、軟質の第２被挿通部材１４が、第１，３被挿通部材１３，１５で厚み方向に潰されることを防止できる。
このように、第２被挿通部材１４が潰れることを防止することで、第２被挿通部材１４の機能が損なわれることを阻止できる。
【００２８】
次に、位置決め構造の第２〜第９実施例を図７〜図１５に基づいて説明する。（第２実施例）
図７および図８に示す第２実施例の位置決め構造３０は、ボス３１の形状を立設方向から見て略十字状とし、ボス３１における挿通方向に沿った位置に第１〜３被挿通部材１３〜１５（図２参照）を位置決めする位置決め手段３２が備えられている。
位置決め手段３２は、ボス３１が基端から先端に向かって連続的な先細りとなるようにテーパ壁３３が形成され、基端側に段差３４を備える。
【００２９】
第１被挿通部材１３、第２被挿通部材１４、第３被挿通部材１５にそれぞれ形成された挿通孔１６，１７，１８は、それぞれ第１被挿通部材１３、第２被挿通部材１４、第３被挿通部材１５の厚み方向に沿って形状および内寸法が連続するとともに、挿通孔１７が挿通孔１８よりも小さく、かつ、挿通孔１６が挿通孔１７よりも小さく形成されている。そして、これらの挿通孔１６，１７，１８は、第１被挿通部材１３、第２被挿通部材１４、第３被挿通部材１５を積層させたときに同軸配置されるようになっている。
【００３０】
このようなボス３１における挿通方向に対して直交する段差３４の最大幅寸法に対して、第１被挿通部材１３における挿通孔１６の最小内寸法が第１被挿通部材１３の配置個所に対応している。
さらに、第２被挿通部材１４における挿通孔１７の最小内寸法は、ボス３１に対する第２被挿通部材１４の配置個所において、挿通方向に対して直交する最大幅寸法に対している。
また、第３被挿通部材１５における挿通孔１８の最大内寸法は、ボス３１に対する第３被挿通部材１５の配置個所において、挿通方向に対して直交する最大幅寸法に対している。
【００３１】
次に、位置決め構造３０の作用を図８に基づいて説明する。
先ず、ボス３１のテーパ壁３３に第１被挿通部材１３の挿通孔１６を嵌め込んで、テーパ壁３３に挿通孔１６の下端１６Ａを当接させるとともに、第１被挿通部材１３を段差３４に当接させる。
位置決め手段３２をテーパ壁３３とすることで、ボス３１に挿通孔１６を容易に嵌め込むことができる。
【００３２】
次に、ボス３１のテーパ壁３３に第２被挿通部材１４の挿通孔１７を嵌め込んで、テーパ壁３３に挿通孔１７の下端１７Ａを当接させる。位置決め手段３２をテーパ壁３３とすることで、ボス３１に挿通孔１７を容易に嵌め込むことができる。
次いで、ボス３１のテーパ壁３３に第３被挿通部材１５の挿通孔１８を嵌め込んで、テーパ壁３３に挿通孔１８の下端１８Ａを当接させる。位置決め手段３２をテーパ壁３３とすることで、ボス３１に挿通孔１８を容易に嵌め込むことができる。
【００３３】
また、テーパ壁３３に第１〜第３被挿通部材１３〜１５の挿通孔１６〜１８をそれぞれ嵌め込んだ際に、テーパ壁３３に挿通孔１６〜１８の下端１６Ａ〜１８Ａがそれぞれ当接するので、ボス３１に対して第１〜第３被挿通部材１３〜１５を精度良く位置決めできる。
【００３４】
さらに、第１〜３被挿通部材１３〜１５を積層固定した際に、軟質の第２被挿通部材１４が、第１，３被挿通部材１３，１５で厚み方向に潰されることを防止して、第２被挿通部材１４の機能が損なわれることを阻止できる。
よって、第２実施例によれば、第１実施例と同様の効果が得られるとともに、ボス３１が基端から先端に向かって連続的な先細りであるため、厚み寸法が異なる複数種類の第１〜３被挿通部材１３〜１５に対応できるという効果も得られる。
【００３５】
（第３実施例）
図９に示す第３実施例の位置決め構造４０は、第２実施例と同様に、ボス３１のテーパ壁３３が基端から先端に向かって連続的な先細りとなるように形成され、基端側に段差３４を備える。
第１〜第３被挿通部材４３〜４５の挿通孔４６〜４８は、それぞれ内周面が裏面から表面に向かって先細りとなるテーパ状に形成されている。
【００３６】
第１被挿通部材４３における挿通孔４６の最大内寸法および最小内寸法は、ボス３１に対する第１被挿通部材４３の配置個所において、挿通孔４６の内周面がテーパ壁３３に密着するように設定されている。
さらに、第２被挿通部材４４における挿通孔４７の最大内寸法および最小内寸法は、ボス３１に対する第２被挿通部材４４の配置個所において、挿通孔４７の内周面がテーパ壁３３に密着するように設定されている。
そして、第３被挿通部材４５における挿通孔４８の最大内寸法および最小内寸法は、ボス３１に対する第３被挿通部材４５の配置個所において、挿通孔４８の内周面がテーパ壁３３に密着するように設定されている。
【００３７】
この位置決め構造４０によれば、ボス３１のテーパ壁３３に第１被挿通部材４３の挿通孔４６を嵌め込んで、テーパ壁３３に挿通孔４６を当接させるとともに、第１被挿通部材４３を段差３４に当接できる。
次に、ボス３１のテーパ壁３３に第２被挿通部材４４の挿通孔４７を嵌め込んで、テーパ壁３３に挿通孔４７を当接できる。
次いで、ボス３１のテーパ壁３３に第３被挿通部材４５の挿通孔４８を嵌め込んで、テーパ壁３３に挿通孔４８を当接できる。
【００３８】
これにより、ボス３１に対して第１〜第３被挿通部材４３〜４５を精度良く位置決めできる。
さらに、第１〜３被挿通部材４３〜４５を積層固定した際に、軟質の第２被挿通部材４４が、第１，３被挿通部材４３，４５で厚み方向に潰されることを防止して、第２被挿通部材４４の機能が損なわれることを阻止できる。
【００３９】
よって、第３実施例によれば、第１実施例と同様な効果が得られるとともに、ボス３１が基端から先端に向かって連続的な先細りであるため、厚み寸法が異なる複数種類の第１〜３被挿通部材４３〜４５に対応できるという第２実施例と同様な効果が得られ、かつ、第１〜第３被挿通部材４３〜４５の挿通孔４６〜４８の内周面がテーパ壁３３に密着するため、ボス３１に対して第１〜第３被挿通部材４３〜４５をさらに精度良く位置決めできる。
【００４０】
（第４実施例）
図１０に示す第４実施例の位置決め構造５０は、ボス５１を略段付円柱形状とし、ボス５１における挿通方向に沿った複数の所定位置にそれぞれ第１〜３被挿通部材１３〜１５（図２参照）を位置決めする位置決め手段５２が備えられている。
位置決め手段５２は、ボス５１が先端に向かって段階的に先細りとなるように形成され、挿通方向に沿った複数の第１〜第３段差５３〜５５を備える。
【００４１】
ボス５１における第１段差５３と第２段差５４との間の隙間寸法は、第１被挿通部材１３の厚み寸法以下であり、第２段差５４と第３段差５５との間の隙間寸法は第２被挿通部材１４の厚み寸法以下である。
このようなボス５１における第１〜第３段差５３〜５５の周面は、ボス５１の軸線に対して平行に形成されている。
【００４２】
さらに、ボス５１における挿通方向に対して直交する第１段差５３の直径寸法Ｗ１と、第１被挿通部材１３における挿通孔１６の内径寸法とが等しく設定されている。また、ボス５１における挿通方向に対して直交する第２段差５４の直径寸法Ｗ２と、第２被挿通部材１４における挿通孔１７の内径寸法とが等しく設定されている。さらに、ボス５１における挿通方向に対して直交する第３段差５５の直径寸法Ｗ３と、第３被挿通部材１５における挿通孔１８の内径寸法とが等しく設定されている。
【００４３】
よって、第４実施例によれば、第１実施例と同様の効果が得られるとともに、ボス５１が略段付円柱形状であるため、前述した第１実施例〜第３実施例に比較して、各被挿通部材１３〜１５の裏面に対する接触面積を広く確保でき、これによりボス５１に対して各被挿通部材１３〜１５をさらに精度良く位置決めできる。
【００４４】
（第５実施例）
図１１に示す第５実施例の位置決め構造６０は、ボス６１の形状を、第１実施例の略十字状ボス１２（図４参照）の一片のみとし、平坦なプレートとしたものである。ボス６１における挿通方向に対して直交する第１段差２１の最大幅寸法Ｗ１と、第１被挿通部材１３における挿通孔１６の内径寸法とが等しく設定されている。また、ボス６１における挿通方向に対して直交する第２段差２２の最大幅寸法Ｗ２と、第２被挿通部材１４における挿通孔１７の内径寸法とが等しく設定されている。さらに、ボス６１における挿通方向に対して直交する第３段差２３の最大幅寸法Ｗ３と、第３被挿通部材１５における挿通孔１８の内径寸法とが等しく設定されている。
【００４５】
この第５実施例においても、第１実施例と同様の効果が得られるとともに、前述した第１実施例に比較してボス６１の構造を簡略化できるため、金型コストを低減でき、これにより製造コストを低減できる。
【００４６】
（第６実施例）
図１２に示す第６実施例の位置決め構造７０は、ボス７１の形状を、第１実施例の略十字状ボス１２（図４参照）の二片のみとし、平面略Ｌ字状にしたものである。換言すれば、第６実施例のボス７１は、前述した第５実施例のボス６１を一対組み合わせたものである。
ボス７１における挿通方向に対して直交する第１段差２１，２１の最大幅寸法Ｗ１，Ｗ１の合算値と、第１被挿通部材１３における挿通孔１６の内径寸法とが等しく設定されている。また、ボス７１における挿通方向に対して直交する第２段差２２，２２の最大幅寸法Ｗ２，Ｗ２の合算値と、第２被挿通部材１４における挿通孔１７の内径寸法とが等しく設定されている。さらに、ボス７１における挿通方向に対して直交する第３段差２３，２３の最大幅寸法Ｗ３，Ｗ３の合算値と、第３被挿通部材１５における挿通孔１８の内径寸法とが等しく設定されている。
このようなボス７１は、挿通方向に沿った方向から見た角部が挿通孔１６，１７，１８の軸線に沿うように配置されている。
【００４７】
この第６実施例においても、基本的に前述した第５実施例と同様の効果が得られるとともに、ボス７１が平面略Ｌ字状に形成されているため、前述した第５実施例のボス６１に比較して自立強度を高く確保できる。
【００４８】
（第７実施例）
図１３に示す第７実施例の位置決め構造８０は、ボス８１の形状を、第５実施例と同様に平坦プレートとしたもので、ボス８１における挿通方向に沿った複数の所定位置にそれぞれ各被挿通部材１３〜１５（図２参照）を位置決めする位置決め手段７２が備えられている。
位置決め手段８２は、ボス８１が挿通方向に沿った線を中心とする非対称形状であるとともに先端に向かって段階的に先細りとなるように形成され、挿通方向に沿った複数の第１〜第３段差（段差）７３〜７５を備える。
【００４９】
ボス８１における挿通方向に対して直交する段差７３の最大幅寸法Ｗ１は、第１被挿通部材１３における挿通孔１６の最小内寸法に対応している。
さらに、ボス８１における段差７４の最大幅寸法Ｗ２は、第２被挿通部材１４における挿通孔１７の最小内寸法に対応している。
そして、ボス８１における段差７５の最大幅寸法Ｗ３は、第３被挿通部材１５における挿通孔１８の最小内寸法に対応している。
【００５０】
この第７実施例においては、第１実施例と同様な効果が得られるとともに、第１被挿通部材１３〜第３被挿通部材１５における挿通孔１６〜挿通孔１８の形状，大きさ等が互いに異なっていても対応できる。
【００５１】
（第８実施例）
図１４に示す第８実施例の位置決め構造９０は、図６に示す第２実施例の位置決め構造３０のボス３１を十字状から一字状に変えたボス９１を採用している。ボス９１における挿通方向に沿った位置に第１〜第３被挿通部材９５〜９７（図１５参照）を位置決めする位置決め手段９２が備えられている。
【００５２】
位置決め手段９２は、ボス９１が先端に向かって連続的に先細りとなるようにテーパ壁９３が形成され、段差９４を備える。
なお、図１５に示すように第１〜第３被挿通部材９５〜９７の挿通孔９５Ａ〜９７Ａは、孔径が下方から上方に向けて漸次大きくなるようにテーパ状に形成されている。
【００５３】
このようなボス９１における挿通方向に対して直交する段差９４の最大幅寸法に対して、第１被挿通部材９５における挿通孔９５Ａの最小内寸法が第１被挿通部材９５の配置個所に対応している。
さらに、第２被挿通部材９６における挿通孔９６Ａの最小内寸法は、ボス９１に対する第２被挿通部材９６の配置個所において、挿通方向に対して直交する最大幅寸法に対している。
また、第３被挿通部材９７における挿通孔９７Ａの最大内寸法は、ボス９１に対する第３被挿通部材９７の配置個所において、挿通方向に対して直交する最大幅寸法に対している。
【００５４】
この第８実施例の位置決め構造９０によれば、テーパ壁９３に第１〜第３被挿通部材９５〜９７の挿通孔９５Ａ〜９７Ａをそれぞれ嵌め込んだ際に、挿通孔９５Ａ〜９７Ａのそれぞれの底部をテーパ壁９３に当接できる。これにより、ボス９１に対して第１〜第３被挿通部材９５〜９７を精度良く位置決めできる。
【００５５】
さらに、第１〜３被挿通部材９５〜９７を積層固定した際に、軟質の第２被挿通部材９６が、第１，３被挿通部材９５，９７で厚み方向に潰されることを防止して、第２被挿通部材９６の機能が損なわれることを阻止できる。
よって、第８実施例によれば、第１実施例と同様な効果が得られるとともに、第２実施例の位置決め構造３０のボス３１を十字状から一字状に変えたボス９１であるため、構造を簡略化できる。
【００５６】
（第９実施例）
図１６に示す第９実施例の位置決め構造１００は、第１実施例の位置決め手段２０と同様に、ボス１０１が先端に向かって段階的に先細りとなるように形成され、挿通方向に沿った複数の第１〜第３段差（段差）１０２〜１０４を備える。
【００５７】
第１段差１０２は、第１実施例と同様に水平面に形成されているが、第２、第３段差１０３，１０４は傾斜面に形成されている。
また、第１実施例は第１〜第３挿通壁２５〜２７（図５参照）を先細りのテーパ状に形成したが、第９実施例の第１〜第３挿通壁１０５〜１０７はストレートの壁面とした。
【００５８】
このようなボス１０１における挿通方向に対して直交する段差１０２の最大幅寸法に対して、第１被挿通部材１３における挿通孔１６の最小内寸法が第１被挿通部材１３の配置個所に対応している。
さらに、第２被挿通部材１４における挿通孔１７の最小内寸法は、ボス１０１に対する第２被挿通部材１４の配置個所において、挿通方向に対して直交する最大幅寸法に対している。
また、第３被挿通部材１５における挿通孔１８の最大内寸法は、ボス１０１に対する第３被挿通部材１５の配置個所において、挿通方向に対して直交する最大幅寸法に対している。
【００５９】
この第９実施例においても、第１実施例と同様な効果が得られるとともに、第２、第３段差１０３，１０４が傾斜面に形成されているため、挿通孔１７の最小内寸法および挿通孔１８の最大内寸法が大きな第２被挿通部材１４および第３被挿通部材１５を固定できる。
【００６０】
なお、本発明は、前述した各実施例に限定されるものでなく、適宜な変形，改良等が可能であり、前述した各実施例において例示したボス、位置決め手段、段差、被挿通部材、挿通孔等の材質，形状，寸法，形態，数，配置個所，厚さ寸法等は本発明を達成できるものであれば任意であり、限定されない。
【図面の簡単な説明】
【図１】従来の位置決め構造を示す断面図である。
【図２】本発明に係る位置決め構造の第１実施例を示す分解斜視図である。
【図３】本発明に係る位置決め構造の第１実施例を示す斜視図である。
【図４】本発明に係る第１実施例の要部を示す斜視図である。
【図５】本発明に係る第１実施例の要部を示す分解断面図である。
【図６】本発明に係る第１実施例の要部を示す断面図である。
【図７】本発明に係る位置決め構造の第２実施例を示す斜視図である。
【図８】本発明に係る第２実施例を示す断面図である。
【図９】本発明に係る位置決め構造の第３実施例を示す断面図である。
【図１０】本発明に係る位置決め構造の第４実施例を示す斜視図である。
【図１１】本発明に係る位置決め構造の第５実施例を示す斜視図である。
【図１２】本発明に係る位置決め構造の第６実施例を示す斜視図である。
【図１３】本発明に係る位置決め構造の第７実施例を示す斜視図である。
【図１４】本発明に係る位置決め構造の第８実施例を示す斜視図である。
【図１５】本発明に係る第８実施例を示す断面図である。
【図１６】本発明に係る位置決め構造の第９実施例を示す断面図である。
【符号の説明】
１０，３０，４０，５０，６０，７０，８０，９０，１００　位置決め構造
１１　メイン部材
１２，３１，５１，６１，７１，８１，９１，１０１　ボス
１３〜１５，４３〜４５，９５〜９７　被挿通部材
１６〜１８，４６〜４８，９５Ａ〜９７Ａ　挿通孔
２０，３２，５２，８２，９２　位置決め手段
２１〜２３，３４，５３〜５５，７３〜７５，９４　段差
Ｄ１，Ｄ２，Ｄ３　各挿通孔の最小内寸法
Ｓ１，Ｓ２　各段差間の隙間寸法
Ｔ１，Ｔ２　被挿通部材の厚み寸法
Ｗ１，Ｗ２，Ｗ３　ボスにおける挿通方向に対して直交する幅寸法
【図１】
2004087569.tif 000003
【図２】
2004087569.tif 000004
【図３】
2004087569.tif 000005
【図４】
2004087569.tif 000006
【図５】
2004087569.tif 000007
【図６】
2004087569.tif 000008
【図７】
2004087569.tif 000009
【図８】
2004087569.tif 000010
【図９】
2004087569.tif 000011
【図１０】
2004087569.tif 000012
【図１１】
2004087569.tif 000013
【図１２】
2004087569.tif 000014
【図１３】
2004087569.tif 000015
【図１４】
2004087569.tif 000016
【図１５】
2004087569.tif 000017
【図１６】
2004087569.tif 000018